(57)【特許請求の範囲】
【請求項１】
第１吸気口及び第１吹出口が形成された空気清浄ユニットと、
第２吸気口及び第２吹出口が形成された加湿ユニットと、
前記空気清浄ユニットと前記加湿ユニットとの間に設けられた可動部と、
を備え、
前記空気清浄ユニットは、
気流を発生させることによって前記第１吸気口から空気を取り込む第１ファンと、
空気を清浄する清浄部と、
を有し、
前記清浄部によって清浄された空気は前記第１吹出口から吹き出され、
前記空気清浄ユニットは、前記清浄部によって清浄された空気の一部を前記第２吸気口へ導くダクトをさらに有し、
前記加湿ユニットは、
前記第２吸気口から取り込まれた空気を加湿する加湿部を有し、
前記加湿部によって加湿された空気は前記第２吹出口から吹き出され、
前記可動部は、前記加湿ユニットを、前記空気清浄ユニットに対して上下方向へ移動させる加湿空気清浄機。
【請求項２】
前記加湿ユニットは、前記空気清浄ユニットの上方に配置され、
前記可動部は、前記空気清浄ユニットの上部に設けられ、前記空気清浄ユニットに対して上下方向に移動することによって、前記加湿ユニットを、前記空気清浄ユニットに対して上下方向へ移動させる請求項１に記載の加湿空気清浄機。
【請求項３】
前記空気清浄ユニットは、
前記清浄部によって清浄された空気の一部を前記第１吹出口へ導く第１ダクトと、
前記ダクトである第２ダクトと、
を有し、
前記加湿ユニットは、
前記加湿部によって加湿された空気を前記第２吹出口へ導く第３ダクトを有する請求項１または請求項２に記載の加湿空気清浄機。
【請求項４】
前記第１ダクトは、前記清浄部によって清浄された空気の一部を、前記加湿ユニットを経由せずに前記第１吹出口へ導く請求項３に記載の加湿空気清浄機。
【請求項５】
前記第２ダクトには第３吹出口が形成され、
前記第２ダクトによって導かれる空気の一部は、前記第３吹出口から吹き出される請求項３または請求項４に記載の加湿空気清浄機。
【請求項６】
前記加湿ユニットは、気流を発生させることによって前記第２吸気口から空気を取り込む第２ファンを有する請求項１から請求項５の何れか１項に記載の加湿空気清浄機。
【請求項７】
前記加湿ユニットは、前記可動部に着脱自在に接続される請求項６に記載の加湿空気清浄機。
【請求項８】
前記可動部は、第１接続部を有し、
前記加湿ユニットは、前記第１接続部に着脱自在に接続される第２接続部を有し、
前記加湿ユニットと前記可動部とが接続されているとき、前記第２ファンには、前記第１接続部に接続された前記第２接続部から電力が供給される請求項７に記載の加湿空気清浄機。
【請求項９】
前記第２接続部に着脱自在に接続する電源コードを備える請求項８に記載の加湿空気清浄機。
【請求項１０】
前記空気清浄ユニットに設けられ、信号を送信する操作手段と、
前記加湿ユニットと前記可動部とが接続されているとき、前記操作手段によって送信された信号に基づいて前記第１ファン及び前記第２ファンを制御する制御手段と、
を備える請求項７から請求項９の何れか１項に記載の加湿空気清浄機。
【発明の詳細な説明】
【技術分野】
【０００１】
本発明は、加湿空気清浄機に関する。
【背景技術】
【０００２】
特許文献１に、加湿器が記載されている。特許文献１に記載の加湿器は、器枠を備える。器枠には、第１の吹出口及び第２の吹出口が開口している。また特許文献１に記載の加湿器は、送風機、霧発生部及びフィルターを備える。
【０００３】
特許文献１に記載の加湿器の送風機は、気流を発生させて空気を取り込む。送風機によって取り込まれた空気は、フィルターによって清浄される。フィルターによって清浄された空気の一部は、第１の吹出口から吹き出される。また送風機によって取り込まれた空気は、霧発生部によって加湿される。霧発生部によって加湿された空気は、第２の吹出口から吹き出される。これにより特許文献１に記載の加湿器は、室内の空気の加湿及び清浄を行う。
【先行技術文献】
【特許文献】
【０００４】
【特許文献１】実開平４−１３３４号公報
【発明の概要】
【発明が解決しようとする課題】
【０００５】
上記の特許文献１に記載の加湿器において、加湿された空気は、器枠に形成された第２の吹出口から吹き出される。使用者は、加湿された空気が吹き出される高さを調節することができない。上記の特許文献１の加湿器では、加湿された空気を所望の高さの位置の対象に供給することができない。
【０００６】
本発明は、上記のような課題を解決するためになされたものである。本発明の目的は、空気の加湿及び清浄を行うことができ、かつ加湿された空気を所望の高さの位置の対象に供給することができる加湿空気清浄機を提供することである。
【課題を解決するための手段】
【０００７】
本発明に係る加湿空気清浄機は、空気清浄ユニットと、加湿ユニットと、空気清浄ユニットと加湿ユニットとの間に設けられた可動部と、を備える。空気清浄ユニットには、第１吸気口及び第１吹出口が形成される。加湿ユニットには、第２吸気口及び第２吹出口が形成される。空気清浄ユニットは、気流を発生させることによって第１吸気口から空気を取り込む第１ファンと、空気を清浄する清浄部と、を有する。清浄部によって清浄された空気は第１吹出口から吹き出される。空気清浄ユニットは、清浄部によって清浄された空気の一部を第２吸気口へ導くダクトをさらに有する。加湿ユニットは、第２吸気口から取り込まれた空気を加湿する加湿部を有する。加湿部によって加湿された空気は第２吹出口から吹き出される。可動部は、加湿ユニットを空気清浄ユニットに対して上下方向へ移動させる。
【発明の効果】
【０００８】
本発明に係る加湿空気清浄機は、空気清浄ユニットと、加湿ユニットと、空気清浄ユニットと加湿ユニットとの間に設けられた可動部と、を備える。可動部は、加湿ユニットを空気清浄ユニットに対して上下方向へ移動させる。このため、本発明に係る加湿空気清浄機であれば、空気の加湿及び清浄を行うことができ、かつ加湿された空気を所望の高さの位置の対象に供給することができる。
【図面の簡単な説明】
【０００９】
【図１】実施の形態１の加湿空気清浄機の斜視図である。
【図２】実施の形態１の加湿空気清浄機の縦断面図である。
【図３】実施の形態１の加湿空気清浄機の加湿空気清浄運転時の縦断面図である。
【図４】実施の形態１の加湿ユニットの高さが変更された加湿空気清浄機の斜視図である。
【図５】実施の形態１の加湿ユニットの高さが変更された加湿空気清浄機の加湿空気清浄運転時の縦断面図である。
【図６】実施の形態１の加湿空気清浄機の加湿運転時の縦断面図である。
【図７】実施の形態１の加湿空気清浄機の空気清浄運転時の縦断面図である。
【図８】実施の形態１の加湿ユニットが分離されたときにおける加湿空気清浄機の縦断面図である。
【図９】実施の形態１の加湿空気清浄機の変形例の加湿清浄運転時の縦断面図である。
【図１０】実施の形態１の加湿空気清浄機の変形例の加湿運転時の縦断面図である。
【図１１】実施の形態１の加湿空気清浄機の制御手段の構成例を示す図である。
【発明を実施するための形態】
【００１０】
以下、添付の図面を参照して、実施の形態について説明する。尚、各図における同一部分または相当部分には、同一の符号を付して、重複する説明を簡略化または省略する。
【００１１】
実施の形態１．
実施の形態１の加湿空気清浄機１００は、空気の清浄と加湿とを行う装置である。図１は、実施の形態１の加湿空気清浄機１００の斜視図である。図２は、実施の形態１の加湿空気清浄機１００の縦断面図である。ここで、図２の紙面上の左右方向を、前後方向とする。図２の紙面上の上下方向を、上下方向とする。図２の紙面に垂直な方向を、左右方向とする。前後方向及び左右方向は、横方向に含まれる。
【００１２】
まず加湿空気清浄機１００の全体構成について、概要を説明する。加湿空気清浄機１００は、空気清浄ユニット１、加湿ユニット２、可動台３ａ及び可動支持体３ｂを備える。
【００１３】
空気清浄ユニット１には、第１吸気口の一例である空気清浄ユニット吸気口４ａが形成される。また空気清浄ユニット１には、第１吹出口の一例である清浄空気吹出口４ｂが形成される。空気清浄ユニット１の内部には、例えば室内の空気が空気清浄ユニット吸気口４ａから取り込まれる。空気清浄ユニット１は、空気清浄ユニット吸気口４ａから取り込まれた空気を清浄する機能を有する。清浄空気吹出口４ｂからは、清浄な空気が吹き出される。
【００１４】
加湿ユニット２には、第２吸気口の一例である加湿ユニット吸気口５ａが形成される。また加湿ユニット２には、第２吹出口の一例である高湿空気吹出口５ｂが形成される。加湿ユニット２の内部には、一例として、空気清浄ユニット１によって清浄された空気が加湿ユニット吸気口５ａから取り込まれる。加湿ユニット２は、加湿ユニット吸気口５ａから取り込まれた空気を加湿する機能を有する。高湿空気吹出口５ｂからは、加湿された空気が吹き出される。
【００１５】
可動台３ａ及び可動支持体３ｂは、加湿ユニット２を上下方向に移動させる可動部の一例である。可動台３ａは、例えば横方向に伸びる板状の部位である。可動支持体３ｂは、例えば上下方向に伸びる板状の部位である。可動台３ａは、可動支持体３ｂの上部に設けられる。
【００１６】
可動支持体３ｂは、例えば空気清浄ユニット１の上部に設けられる。可動支持体３ｂは、空気清浄ユニット１に対して上下方向に移動可能に形成される。可動台３ａは、可動支持体３ｂとともに上下方向に移動可能である。
【００１７】
本実施例において加湿ユニット２は、図１及び図２に示すように、空気清浄ユニット１の上方に配置される。加湿ユニット２は、可動台３ａに着脱自在に接続可能に形成される。加湿ユニット２は、可動台３ａの上面に設置される。可動台３ａ及び可動支持体３ｂは、上下方向に移動することによって、加湿ユニット２を上下方向に移動させる。
【００１８】
次に、空気清浄ユニット１について、より詳細に説明する。空気清浄ユニット１は、第１筐体４を有する。空気清浄ユニット吸気口４ａは、例えば第１筐体４の前面に形成される。また清浄空気吹出口４ｂは、例えば第１筐体４の上面に形成される。
【００１９】
空気清浄ユニット１は、第１ファンの一例として、第１送風ファン６を有する。第１送風ファン６は、第１筐体４の内部に設けられる。第１送風ファン６は、第１モータ６ａ及び第１翼部６ｂを有する。第１モータ６ａは、第１翼部６ｂを回転させる。第１送風ファン６は、第１翼部６ｂの回転によって、気流を発生させる。
【００２０】
第１送風ファン６は、例えば第１筐体４の外部から第１筐体４の内部へ空気清浄ユニット吸気口４ａを介して向かう気流を発生させる。第１送風ファン６は、気流を発生させることによって、空気清浄ユニット吸気口４ａから第１筐体４の内部へ空気を取り込む。
【００２１】
また空気清浄ユニット１は、空気を清浄する清浄部の一例として、フィルター７を有する。フィルター７は、空気中の埃または臭い成分、あるいは埃及び臭い成分の両方を除去するものである。なお空気清浄ユニット１が有する清浄部は、フィルター７に限られない。
【００２２】
フィルター７は、第１筐体４の内部に配置される。フィルター７は、空気清浄ユニット吸気口４ａの近傍に配置される。フィルター７は、第１筐体４の内部から空気清浄ユニット吸気口４ａを覆うように設けられる。フィルター７は、第１筐体４の内部から着脱自在に設けられる。
【００２３】
第１筐体４の内部には、吸気ダクト８が設けられる。吸気ダクト８は、フィルター７から第１送風ファン６にかけて形成される。吸気ダクト８は、フィルター７から第１送風ファン６へ向かう吸気風路８ａを形成する。
【００２４】
空気清浄ユニット１は、第１ダクトの一例として、清浄空気ダクト９を有する。清浄空気ダクト９は、第１筐体４の内部に設けられる。清浄空気ダクト９は、第１送風ファン６から清浄空気吹出口４ｂにかけて形成される。清浄空気ダクト９は、第１送風ファン６から清浄空気吹出口４ｂへ向かう第１送風路９ａを形成する。第１送風路９ａは、吸気風路８ａに連通する。
【００２５】
また空気清浄ユニット１は、第２ダクトの一例として、可動ダクト１０を有する。可動ダクト１０は、第１筐体４の上面後部から上方に向けて突出するように設けられる。可動ダクト１０は、一部が第１筐体４の内部に差し込まれるように設けられる。可動ダクト１０は、第１筐体４に対して、上下方向に移動可能に形成される。
【００２６】
可動ダクト１０は、第１送風ファン６から加湿ユニット吸気口５ａへ向かう第２送風路１０ａを形成するように設けられる。第２送風路１０ａは、吸気風路８ａに連通する。また可動ダクト１０には、例えば図２に示すように、上方に開口する吹出口１０ｂが形成されていてもよい。吹出口１０ｂは、第３吹出口の一例である。
【００２７】
空気清浄ユニット１は、一例として風量調整弁１１を有する。本実施例において第１送風ファン６は、気流を発生させることによって、第１送風路９ａ及び第２送風路１０ａへ空気を送る。風量調整弁１１は、第１送風路９ａ及び第２送風路１０ａへ送られる空気の量を調整する弁である。風量調整弁１１は、第１筐体４の内部に設けられる。風量調整弁１１は、図２に示すように、第１送風路９ａと第２送風路１０ａとの間に配置される。
【００２８】
風量調整弁１１には、回動軸１１ａが設けられる。回動軸１１ａは、第１筐体４の内部に固定される。風量調整弁１１は、回動軸１１ａを支点にして回動可能に形成される。風量調整弁１１は、回動することによって、第１送風路９ａまたは第２送風路１０ａを閉塞可能に形成される。
【００２９】
また空気清浄ユニット１は、空気清浄度センサ１２を有してもよい。空気清浄度センサ１２は、第１筐体４の内部で、フィルター７の上方に設けられる。空気清浄度センサ１２は、空気中に含まれる埃及び臭いを検出するセンサの一例である。
【００３０】
空気清浄ユニット１には、第１操作表示部１３が設けられる。第１操作表示部１３は、例えば第１筐体４の前面の上部に設けられる。第１操作表示部１３は、例えば空気清浄ユニット吸気口４ａの上方に設けられる。
【００３１】
第１操作表示部１３は、第１操作部１４ａを有する。第１操作部１４ａは、加湿空気清浄機１００の操作及び加湿空気清浄機１００の設定を行うための操作手段の一例である。第１操作部１４ａには、一例として加湿空気清浄機１００の電源スイッチが含まれる。また第１操作部１４ａには、一例として加湿空気清浄機１００の運転モードの切り替えを行うためのスイッチが含まれる。第１操作部１４ａは、使用者からの操作に応じた信号を送信する。
【００３２】
第１操作表示部１３は、第１表示部１４ｂを有する。第１表示部１４ｂは、例えばＬＥＤ等のランプを有する。第１表示部１４ｂは、加湿空気清浄機１００の状態を示す表示手段の一例である。第１表示部１４ｂは、ランプの点灯及び消灯によって加湿空気清浄機１００の状態を示す。
【００３３】
加湿空気清浄機１００は、第１制御装置１５を備える。第１制御装置１５は、例えば空気清浄ユニット１に設けられる。第１制御装置１５は、例えば第１筐体４の内部に設けられる。第１制御装置１５は、空気清浄ユニット１に備えられた各機器を制御する装置の一例である。
【００３４】
第１制御装置１５は、例えば第１操作表示部１３の後方に配置される。第１制御装置１５は、第１操作表示部１３に接続される。第１制御装置１５と第１操作表示部１３とは、相互に通信が可能である。第１制御装置１５は、第１操作部１４ａが送信した信号に基づいて動作する。また第１表示部１４ｂは、第１制御装置１５からの信号に基づいて動作する。
【００３５】
第１制御装置１５の出力側には、第１モータ６ａが接続される。第１制御装置１５は、例えば通電によって第１モータ６ａを制御する。第１送風ファン６の駆動及び停止は、第１制御装置１５によって制御される。第１送風ファン６によって送られる空気の風量及び風速は、第１制御装置１５によって調整される。また第１制御装置１５の出力側には、風量調整弁１１が接続される。第１制御装置１５は、風量調整弁１１を制御する。
【００３６】
第１制御装置１５の入力側には、加湿空気清浄機１００に備えられた各種のセンサが接続される。各種のセンサには、空気清浄度センサ１２が含まれる。第１制御装置１５は、一例として、空気清浄度センサ１２からの入力に基づいて動作する。
【００３７】
空気清浄ユニット１は、複数個のキャスター１６を有していてもよい。キャスター１６は、第１筐体４の下面に設けられる。これにより、空気清浄ユニット１及び加湿空気清浄機１００全体の移動が容易になる。
【００３８】
次に、可動部の一例である可動台３ａ及び可動支持体３ｂについて、より詳細に説明する。本実施例の可動台３ａ及び可動支持体３ｂは、図２に示すように、中空に形成される。可動台３ａの内部及び可動支持体３ｂの内部には、空間が形成される。可動台３ａの内部の空間と可動支持体３ｂの内部の空間とは連通している。また可動支持体３ｂの内部の空間は、図２に示すように、第１筐体４の内部の空間と連通している。
【００３９】
可動台３ａは、加湿ユニット２の外形に合わせた形状に形成される。また可動台３ａは、可動ダクト１０と接続されている。可動ダクト１０は、例えば可動台３ａの後端に接続される。本実施例において可動ダクト１０は、可動台３ａと共に動く。すなわち第２ダクトの一例である可動ダクト１０は、可動部の一例である可動台３ａ及び可動支持体３ｂと共に上下方向に移動する。
【００４０】
可動台３ａは、第１接続部の一例として第１接続端子１７ａを有する。第１接続端子１７ａは、例えば可動台３ａの後部に形成される。また本実施例の加湿ユニット２には、第２接続部の一例として、第２接続端子１７ｂが形成される。第１接続端子１７ａは、この第２接続端子１７ｂに着脱自在に接続する部位である。第１接続端子１７ａと第２接続端子１７ｂとは、電気的に接続することができる。
【００４１】
また第１筐体４内の第１制御装置１５には、第１ケーブル１８ａの一端が接続される。第１ケーブル１８ａには、例えば電源供給線と信号線とが含まれる。第１ケーブル１８ａは、第１筐体４、可動支持体３ｂ及び可動台３ａの内部を通る。第１ケーブル１８ａの他端は、第１接続端子１７ａに接続される。第１制御装置１５と第１接続端子１７ａとは、第１ケーブル１８ａによって電気的に接続される。第１ケーブル１８ａは、可動支持体３ｂ内で伸縮可能に形成される。
【００４２】
次に、加湿ユニット２について、より詳細に説明する。加湿ユニット２は、第２筐体５を有する。本実施例において加湿ユニット吸気口５ａ及び高湿空気吹出口５ｂは、第２筐体５に形成される。加湿ユニット吸気口５ａは、例えば第２筐体５の後面の下部に形成される。高湿空気吹出口５ｂは、例えば第２筐体５の前面の上部に形成される。第２接続端子１７ｂは、例えば第２筐体５の後側の下部に形成される。
【００４３】
図１及び図２に示すように、加湿ユニット２は、給水タンク１９を有する。給水タンク１９は、第２筐体５の後側の上部に、着脱自在に装着される。使用者は、第２筐体５から取り外された給水タンク１９に水を補充することができる。
【００４４】
第２筐体５の内部には、貯水部２０が設けられる。貯水部２０は、第２筐体５の内部の後側に設けられる。貯水部２０には、タンク受け部２１が形成される。タンク受け部２１は、上方に向けて開口する凹形の部位である。タンク受け部２１内には、この開口によって空間が形成される。
【００４５】
給水タンク１９には、取付部２２が形成される。給水タンク１９は、取付部２２が下を向くように第２筐体５に装着される。給水タンク１９は、取付部２２がタンク受け部２１に入り込むように、第２筐体５に装着される。給水タンク１９は、取付部２２とタンク受け部２１とが連結することによって、第２筐体５に装着される。取付部２２は、給水タンク１９が第２筐体５に取り付けられた状態において、下方に向けて開口している。
【００４６】
給水タンク１９には、給水弁２３が設けられている。給水弁２３は、図２に示すように、給水タンク１９が第２筐体５に取り付けられた状態において、給水タンク１９の下面と取付部２２との間に位置する。給水弁２３は、給水タンク１９が第２筐体５に取り付けられると開く。給水弁２３は、給水タンク１９が第２筐体５から取り外されると閉じる。
【００４７】
給水タンク１９が第２筐体５に取り付けられると給水弁２３が開き、給水タンク１９内の水が取付部２２の開口まで供給される。貯水部２０には、取付部２２の開口から水が供給される。これにより、貯水部２０に水が貯められる。一例として貯水部２０には、水位が取付部２２の開口の高さになるように水が貯められる。
【００４８】
また加湿ユニット２は、空気を加湿する加湿部の一例として、蒸気生成部２４を有する。蒸気生成部２４は、例えば第２筐体５の内部に設けられる。蒸気生成部２４は、蒸発皿２５、ヒータ２６及び蒸気カバー２７を有する。
【００４９】
蒸発皿２５の底面は、図２に示すように開口している。蒸発皿２５の底面の開口は、ホース２８によって、貯水部２０の底部と接続される。蒸発皿２５には、ホース２８を介して、貯水部２０から水が供給される。蒸発皿２５には、水が貯められる。
【００５０】
蒸発皿２５の材質は、例えばアルミニウム等の金属である。ヒータ２６は、例えば金属製の蒸発皿２５の側面の外周に設けられる。また蒸気カバー２７は、蒸発皿２５の上方に設けられる。蒸気カバー２７は、図２に示すように、蒸発皿２５を覆うように設けられる。蒸気カバー２７の上面には上下に貫通した孔が形成される。
【００５１】
ヒータ２６は、蒸発皿２５を加熱する。これにより、蒸発皿２５に貯められた水が加熱される。蒸発皿２５に貯められた水は、加熱されることによって沸騰する。蒸発皿２５に貯められた水が沸騰することにより、蒸気Ｗ０が生成される。蒸気Ｗ０は、蒸気カバー２７の上面の孔から上方へ放出される。蒸気生成部２４は、蒸気Ｗ０を放出することによって、空気を加湿する。
【００５２】
なお空気を加湿する加湿部は、本例の蒸気生成部２４に限られない。加湿ユニット２は、例えば熱を使用せずに超音波によって空気を加湿する加湿部を有してもよい。また加湿部は、例えばレーヨン等の水を吸収する材料で形成されたフィルターによって空気を加湿してもよい。
【００５３】
加湿ユニット２は、第３ダクトの一例として、高温高湿空気ダクト２９を有する。高温高湿空気ダクト２９は、第２筐体５の内部に形成される。高温高湿空気ダクト２９は、図２に示すように、蒸気生成部２４から高湿空気吹出口５ｂにかけて形成される。高温高湿空気ダクト２９は、蒸気生成部２４から放出された蒸気Ｗ０を内部に取り込むように形成される。高温高湿空気ダクト２９は、蒸気生成部２４によって加湿された空気を高湿空気吹出口５ｂへ導く部位である。
【００５４】
高温高湿空気ダクト２９は、一例として、高湿空気吹出口５ｂから後方へ向かって前後方向に沿う部位を有する。高温高湿空気ダクト２９のうち、高湿空気吹出口５ｂから後方へ向かって前後方向に沿う部位の底面は、高湿空気吹出口５ｂから後方へ向かって下方に傾斜していてもよい。本例であれば、高温高湿空気ダクト２９内で発生した結露水は、高温高湿空気ダクト２９あるいは蒸気生成部２４の内部へ留まる。
【００５５】
高温高湿空気ダクト２９には、ガードリブ３０が設けられてもよい。ガードリブ３０は、高湿空気吹出口５ｂの近傍で、高温高湿空気ダクト２９の内側に設けられる。ガードリブ３０は、高湿空気吹出口５ｂから高温高湿空気ダクト２９内への異物及び使用者の手の侵入を防止する。これにより、ヒータ２６によって加熱された高温の空間に使用者の手が触れてしまうことが防止される。また異物が、高温高湿空気ダクト２９の内部へ侵入してから蒸気生成部２４へ落下することが防止される。
【００５６】
また加湿ユニット２は、送風ダクト３１を有する。送風ダクト３１は、筒状の部位である。送風ダクト３１の一端には、気流取込口３１ａが開口している。送風ダクト３１は、図２に示すように、気流取込口３１ａが第２筐体５の内部で下方を向くように設けられる。
【００５７】
また送風ダクト３１の他端には、搬送空気吹出口３１ｂが開口している。送風ダクト３１は、図１及び図２に示すように、搬送空気吹出口３１ｂが第２筐体５の前方へ突出するように設けられる。送風ダクト３１は、高温高湿空気ダクト２９の後方及び上方を通るように設けられる。送風ダクト３１は、搬送空気吹出口３１ｂが高湿空気吹出口５ｂの上に並ぶように設けられる。搬送空気吹出口３１ｂと高湿空気吹出口５ｂとは、上下に並んで配置される。
【００５８】
高温高湿空気ダクト２９の内部には、図２に示すように、蒸気生成部２４の上方に蒸気混合空間３２が形成されている。第２筐体５の内部には、送風ダクト３１内の空間とこの蒸気混合空間３２とを連通させるガイド風路３３が形成される。ガイド風路３３は、一例として、蒸気混合空間３２の中央に対して水平方向に偏った位置に形成される。
【００５９】
加湿ユニット２は、第２ファンの一例として、第２送風ファン３４を有する。第２送風ファン３４は、第２筐体５の内部に設けられる。第２送風ファン３４は、第２モータ３４ａ及び第２翼部３４ｂを有する。第２モータ３４ａは、第２翼部３４ｂを回転させる。第２送風ファン３４は、第２翼部３４ｂの回転によって、気流を発生させる。
【００６０】
第２送風ファン３４は、例えば図２に示すように、加湿ユニット吸気口５ａと気流取込口３１ａとの間に設けられる。第２送風ファン３４は、例えば第２筐体５の外部から加湿ユニット吸気口５ａを介して第２筐体５の内部へ向かう気流を発生させる。第２送風ファン３４は、気流を発生させることによって、加湿ユニット吸気口５ａから第２筐体５の内部へ空気を取り込む。
【００６１】
また第２送風ファン３４は、例えば気流取込口３１ａから搬送空気吹出口３１ｂへ向かう気流を発生させる。搬送空気吹出口３１ｂからは、第２送風ファン３４によって発生させられた気流によって、空気が吹き出される。
【００６２】
ここで、送風ダクト３１には、例えば風向調整部３１ｃが設けられてもよい。風向調整部３１ｃは、搬送空気吹出口３１ｂから吹き出される空気の風向を調整する部位である。風向調整部３１ｃは、例えば板状の部材である。板状の風向調整部３１ｃは、例えば図２に示すように、搬送空気吹出口３１ｂの上側の縁に設けられる。風向調整部３１ｃは、搬送空気吹出口３１ｂから前方へ向かって先端が突出するように設けられる。風向調整部３１ｃの後端は、左右方向から軸支される。風向調整部３１ｃは、軸支された後端を中心にして上下方向に回動可能に形成される。
【００６３】
また加湿ユニット２には、第２操作表示部３５が設けられる。第２操作表示部３５は、例えば第２筐体５の前面に設けられる。第２操作表示部３５は、例えば高湿空気吹出口５ｂの下方に設けられる。
【００６４】
第２操作表示部３５は、第２操作部３６ａを有する。第２操作部３６ａには、一例として、加湿ユニット２の操作及び設定を行うためのスイッチが含まれる。第２操作部３６ａは、使用者からの操作に応じた信号を送信する。
【００６５】
また第２操作表示部３５は、第２表示部３６ｂを有する。第２表示部３６ｂは、例えばＬＥＤ等のランプを有する。第２表示部３６ｂは、ランプの点灯及び消灯によって、加湿空気清浄機１００の状態を示す。
【００６６】
また加湿空気清浄機１００は、第２制御装置３７を備える。第２制御装置３７は、加湿ユニット２に設けられる。第２制御装置３７は、例えば第２筐体５の内部に設けられる。第２制御装置３７は、加湿ユニット２に備えられた各機器を制御する装置の一例である。また第１制御装置１５及び第２制御装置３７は、加湿空気清浄機１００を制御する制御手段の一例である。
【００６７】
第２制御装置３７は、例えば第２操作表示部３５の後方に配置される。第２制御装置３７は、第２操作表示部３５に接続される。第２制御装置３７と第２操作表示部３５とは、相互に通信が可能である。第２制御装置３７は、例えば第２操作部３６ａからの信号に基づいて動作する。また第２表示部３６ｂは、第２制御装置３７からの信号に基づいて動作する。
【００６８】
第２制御装置３７は、例えば第２操作部３６ａが送信した信号に基づいて、加湿ユニット２に備えられた各機器を制御する。第２制御装置３７の出力側には、例えばヒータ２６及び第２モータ３４ａが接続される。第２制御装置３７は、例えば通電によってヒータ２６及び第２モータ３４ａを制御する。第２送風ファン３４によって送られる空気の風量及び風速は、第２制御装置３７によって調整される。使用者は、第２操作表示部３５を操作することによって、加湿ユニット２に設けられた各機器を制御することができる。
【００６９】
また加湿ユニット２は、各種のセンサ系統を備えてもよい。加湿ユニット２が備える各種のセンサ系統は、例えば第２制御装置３７の入力側に接続される。加湿ユニット２が備える各種のセンサ系統には、例えば水位検出部、湿度検出部、人検出部及び近接センサが含まれる。
【００７０】
水位検出部は、給水タンク１９内の水位を検出する。湿度検出部は、加湿空気清浄機１００の周囲の湿度を検出する。人検出部は、加湿空気清浄機１００の周囲に存在する人を検出する。また近接センサは、高湿空気吹出口５ｂに人が接近したことを検出する。
【００７１】
また第２制御装置３７には、第２ケーブル１８ｂの一端が接続される。第２ケーブル１８ｂには、例えば電源供給線と信号線とが含まれる。第２ケーブル１８ｂの他端は、第２接続端子１７ｂに接続される。第２制御装置３７は、第２接続端子１７ｂと電気的に接続される。
【００７２】
加湿ユニット２が可動台３ａに接続されているとき、第２制御装置３７は、第１ケーブル１８ａ、第１接続端子１７ａ、第２接続端子１７ｂ及び第２ケーブル１８ｂを介し、第１制御装置１５に電気的に接続される。加湿ユニット２が可動台３ａに接続されているとき、第２制御装置３７には、一例として第１制御装置１５から電力及び信号が送られる。加湿ユニット２が可動台３ａに接続されているとき、第１制御装置１５は、第２制御装置３７を介して、加湿ユニット２に設けられた各機器を制御する。
【００７３】
次に加湿空気清浄機１００の動作について説明する。加湿空気清浄機１００は、一例として室内で使用される。加湿空気清浄機１００の電源は、例えば使用者が第１操作部１４ａを操作することによって、オンの状態になる。電源がオンになることにより、加湿空気清浄機１００の運転が開始される。使用者は、例えば電源をオンの状態にした後、第１操作部１４ａによって運転モードの選択を行う。
【００７４】
本実施例の加湿空気清浄機１００の第１制御装置１５には、一例として複数の運転モードが記憶されている。使用者は、第１操作部１４ａを操作することによって、第１制御装置１５に記憶された複数の運転モードの中から一つの運転モードを選択することができる。加湿空気清浄機１００は、選択された運転モードに基づいて動作をする。
【００７５】
第１制御装置１５には、例えば複数の運転モードのうちの１つとして、加湿清浄運転モードが記憶されている。加湿清浄運転モードが選択されると、加湿空気清浄機１００は、加湿清浄運転を開始する。加湿清浄運転とは、加湿された空気と清浄された空気とを同時に吹き出す運転である。
【００７６】
加湿空気清浄機１００の動作として、加湿清浄運転について説明する。図３は、実施の形態１の加湿空気清浄機１００の加湿空気清浄運転時の縦断面図である。加湿清浄運転モードが選択されると、第１制御装置１５は、第１送風路９ａと第２送風路１０ａとが開かれるように風量調整弁１１を動作させる。また第１制御装置１５は、第１送風ファン６に気流を発生させる。第１送風ファン６が発生させた気流により、空気清浄ユニット吸気口４ａから第１筐体４の内部へ室内空気Ｗ１が取り込まれる。
【００７７】
室内空気Ｗ１は、フィルター７を通過することによって、清浄空気Ｗ２となる。清浄空気Ｗ２は、吸気風路８ａを流れる。吸気風路８ａを流れる清浄空気Ｗ２の一部は、第１送風路９ａへ流れる。第１送風路９ａへ流れた清浄空気Ｗ２は、清浄空気ダクト９によって清浄空気吹出口４ｂへ導かれる。清浄空気吹出口４ｂへ導かれた清浄空気Ｗ２は、一例として空気清浄ユニット１に対して上方へ吹き出される。
【００７８】
また吸気風路８ａを流れる清浄空気Ｗ２の一部は、第２送風路１０ａへ流れる。第２送風路１０ａへ流れた清浄空気Ｗ２は、可動ダクト１０によって加湿ユニット吸気口５ａへ導かれる。また可動ダクト１０によって導かれる清浄空気Ｗ２の一部は、吹出口１０ｂから吹き出される。清浄空気Ｗ２は、一例として、吹出口１０ｂから空気清浄ユニット１に対して上方へ吹き出される。
【００７９】
また第１制御装置１５は、加湿清浄運転モードが選択されると、例えば加湿清浄運転制御信号を、第２制御装置３７へ送信する。第２制御装置３７は、加湿清浄運転制御信号を受信すると、第２送風ファン３４及びヒータ２６を駆動させる。
【００８０】
第２送風ファン３４は、気流を発生させることにより、加湿ユニット吸気口５ａへ導かれた清浄空気Ｗ２を第２筐体５の内部へ取り込む。またヒータ２６が駆動することによって、蒸気Ｗ０が生成される。蒸気Ｗ０は、蒸気生成部２４から蒸気混合空間３２へ放出される。
【００８１】
第２制御装置３７は、加湿清浄運転に必要な量の清浄空気Ｗ２が第２筐体５の内部へ取り込まれるように、第２送風ファン３４を制御する。一例として第２制御装置３７は、第２筐体５の内部へ取り込まれる清浄空気Ｗ２の風量が０．２［ｍ＾３／ｍｉｎ］以下になるように、第２送風ファン３４を制御する。
【００８２】
第２筐体５の内部へ取り込まれた清浄空気Ｗ２は、第２送風ファン３４が発生させた気流によって、気流取込口３１ａへ導かれる。清浄空気Ｗ２は、気流取込口３１ａから送風ダクト３１内へ流れる。気流取込口３１ａから送風ダクト３１内へ流れた清浄空気Ｗ２の一部は、ガイド風路３３によって、蒸気混合空間３２へ導かれる。
【００８３】
蒸気混合空間３２の内部では、ガイド風路３３によって導かれた清浄空気Ｗ２と、蒸気Ｗ０とが混合される。蒸気混合空間３２は、一例として円筒形状に形成されてもよい。円筒形状の蒸気混合空間３２内に流入した蒸気Ｗ０と清浄空気Ｗ２とは、互いに旋回しながら効率よく混合される。蒸気Ｗ０と清浄空気Ｗ２とが混合されることにより、高温高湿空気Ｗ３が生成される。
【００８４】
高温高湿空気ダクト２９は、高温高湿空気Ｗ３を、高湿空気吹出口５ｂへ導く。高温高湿空気Ｗ３は、高湿空気吹出口５ｂから吹き出される。一例として高温高湿空気Ｗ３は、高湿空気吹出口５ｂから加湿ユニット２に対して前方向、すなわち加湿ユニット２に対して横方向へ吹き出される。
【００８５】
また気流取込口３１ａから送風ダクト３１内へ流れた清浄空気Ｗ２の一部は、送風ダクト３１によって、高湿空気吹出口５ｂの上方の搬送空気吹出口３１ｂへ導かれる。一例として清浄空気Ｗ２は、搬送空気吹出口３１ｂから加湿ユニット２に対して前方向、すなわち加湿ユニット２に対して横方向へ吹き出される。
【００８６】
図３に示すように、搬送空気吹出口３１ｂへ導かれた清浄空気Ｗ２と高湿空気吹出口５ｂへ導かれた高温高湿空気Ｗ３とは、横方向に併進するように吹き出される。清浄空気Ｗ２と高温高湿空気Ｗ３とは、横方向に併進しつつ、上下方向から互いに熱交換しながら混ざり合う。清浄空気Ｗ２と高温高湿空気Ｗ３とは、混ざり合って加湿空気Ｗ４となる。加湿空気Ｗ４は、加湿対象に向かって送り出される。
【００８７】
また使用者は、可動台３ａ及び可動支持体３ｂを上下方向に動かすことができる。使用者は、可動台３ａ及び可動支持体３ｂによって加湿ユニット２の高さが変更された状態の加湿空気清浄機１００を使用することができる。図４は、実施の形態１の加湿ユニット２の高さが変更された加湿空気清浄機１００の斜視図である。使用者は、例えば可動台３ａ及び可動支持体３ｂを上方向に動かすことによって、加湿ユニット２をより高い位置にさせることができる。
【００８８】
図５は、実施の形態１の加湿ユニット２の高さが変更された加湿空気清浄機１００の加湿空気清浄運転時の縦断面図である。本実施例において第１ケーブル１８ａは、可動支持体３ｂ内で伸縮可能に形成される。これにより、可動台３ａ及び可動支持体３ｂが上下方向へ移動された場合においても、第１制御装置１５と第１接続端子１７ａとは電気的に接続される。加湿空気清浄機１００は、可動台３ａ及び可動支持体３ｂが上下方向へ移動された場合においても、図５に示すように、加湿清浄運転を行うことができる。
【００８９】
上記実施例の加湿清浄運転において、加湿空気Ｗ４は、横方向へ送り出される。また清浄空気吹出口４ｂ及び吹出口１０ｂからは、清浄空気Ｗ２が上方向へ吹き出される。加湿空気清浄機１００は、清浄空気Ｗ２によって部屋全体を清浄しつつ、加湿空気Ｗ４を加湿対象へ供給することができる。
【００９０】
加湿空気清浄機１００の加湿対象は、例えば使用者の顔である。一例として加湿空気清浄機１００は、加湿空気Ｗ４が使用者の顔に当たるように使用される。加湿空気Ｗ４は、清浄部の一例であるフィルター７を通過した清浄空気Ｗ２によって生成される。加湿空気Ｗ４は、清浄な空気であり、衛生的である。加湿空気清浄機１００は、清浄されて衛生的でかつ加湿された空気を、加湿対象の一例である使用者の顔へ供給することができる。また加湿空気清浄機１００は、加湿空気Ｗ４と同時に清浄空気Ｗ２を吹き出すことにより、より衛生的な環境下で加湿空気Ｗ４を加湿対象へ供給することができる。加湿空気清浄機１００は、一例として就寝中の使用者の喉及び鼻の粘膜を、清浄かつ衛生的な空気によって保湿することができる。
【００９１】
加湿空気清浄機１００は、例えば使用者の就寝位置の近傍に置かれて使用される。加湿空気清浄機１００は、例えば使用者の顔から０．７５［ｍ］離れた位置に置かれて使用される。加湿空気清浄機１００は、加湿空気Ｗ４が就寝中の使用者の顔に当たるように使用される。使用者は、顔に当たる空気の風速が０．５［ｍ／ｓ］以下であると、吹かれ感のない快適な状態となる。
【００９２】
上記実施例において加湿清浄運転の際に第２送風ファン３４は、第２筐体５の内部へ取り込まれる清浄空気Ｗ２の風量が０．２［ｍ＾３／ｍｉｎ］以下になるように制御される。また第２送風ファン３４は、一例として搬送空気吹出口３１ｂでの風速が０．７［ｍ／ｓ］で、かつ高湿空気吹出口５ｂでの風速が１．０［ｍ／ｓ］となるように制御されてもよい。これにより、搬送空気吹出口３１ｂから０．７５［ｍ］先での加湿空気Ｗ４の風速は０．２５［ｍ／ｓ］となる。本例であれば、使用者は、吹かれ感のない快適な状態で就寝しつつ、加湿空気Ｗ４を顔に受けることができる。なお加湿清浄運転の際の第２送風ファン３４の制御は本例に限られない。
【００９３】
加湿清浄運転の際には、加湿空気Ｗ４は横方向に送り出される。清浄空気Ｗ２は、上方向に吹き出される。このため清浄空気Ｗ２の流れによる加湿空気Ｗ４の流れへの影響が少ない。これにより、加湿対象に向けて送られる加湿空気Ｗ４の到達距離がより長くなる。
【００９４】
なお加湿ユニット２には、例えば搬送空気吹出口３１ｂが形成されていなくてもよい。例えば加湿ユニット２は、高温高湿空気Ｗ３を、清浄空気Ｗ２と混合させずに加湿対象まで直接送り出す構成を有していてもよい。
【００９５】
搬送空気吹出口３１ｂから吹き出される清浄空気Ｗ２は、例えば水平に比べて下向きに吹き出されてもよい。すなわち清浄空気Ｗ２は、搬送空気吹出口３１ｂから、高温高湿空気Ｗ３の風向と交わる方向に吹き出されてもよい。清浄空気Ｗ２が搬送空気吹出口３１ｂから吹き出される方向は、例えば風向調整部３１ｃによって調整される。
【００９６】
高温高湿空気Ｗ３は、水の沸騰によって生じた蒸気Ｗ０から生成される。高温高湿空気Ｗ３は、室温に比べて高温である。このため、高湿空気吹出口５ｂから吹き出された高温高湿空気Ｗ３は上昇しようとする。一方で搬送空気吹出口３１ｂから吹き出される清浄空気Ｗ２は室温である。清浄空気Ｗ２は、上昇せずに、吹き出された方向へ進行する。水平に比べて下向きに吹き出された清浄空気Ｗ２は、高温高湿空気Ｗ３の上昇を防ぎながら高温高湿空気Ｗ３と混ざり合う。
【００９７】
清浄空気Ｗ２は、水平に比べて下向きに吹き出されることにより、より効率よく高温高湿空気Ｗ３と混ざり合う。これにより、加湿空気Ｗ４の到達距離がより長くなる。本例であれば、例えば清浄空気Ｗ２及び高温高湿空気Ｗ３が低風速の場合であっても、より遠い位置まで湿度が高く温かい空気が届けられる。
【００９８】
上記実施例において加湿ユニット２は、空気清浄ユニット１の上方に配置されている。このため、加湿空気清浄機１００は、より高い位置から加湿空気Ｗ４を供給することができる。上記実施例の加湿空気清浄機１００であれば、例えば高いベッドで就寝している使用者の顔周辺に、吹かれ感のない加湿空気Ｗ４を供給することができる。
【００９９】
使用者は、可動部の一例である可動台３ａ及び可動支持体３ｂを動かすことによって、加湿ユニット２の位置を所望の高さにすることができる。加湿空気清浄機１００は、加湿ユニット２の高さが変更された状態においても、図５に示すように加湿空気清浄運転を行うことができる。加湿空気清浄機１００は、空気の加湿及び清浄を行うことができ、かつ加湿された空気を所望の高さの位置の対象に供給することができる。
【０１００】
上記実施例の加湿空気清浄機１００であれば、所望の高さの位置の対象に、加湿された清浄な空気を供給することができる。加湿空気清浄機１００は、例えば使用者が就寝の際に使用するベッドの高さによらず、就寝中の使用者の顔周辺に加湿された清浄な空気を供給することができる。上記実施例であれば、加湿された清浄な空気が、適切な位置に供給される。
【０１０１】
なお可動支持体３ｂには、例えば可動台３ａが一定の高さだけ持ち上げられると第１筐体４に嵌め合わされて固定される構造が形成されていてもよい。また第１筐体４には、例えば可動支持体３ｂと第１筐体４との嵌め合いを解除する操作レバーが設けられていてもよい。また可動台３ａ及び可動支持体３ｂは、手動あるいは自動のいずれによって動かされてもよい。一例として可動支持体３ｂは、例えば第１制御装置１５によって、通電による制御をされてもよい。
【０１０２】
可動部の一例である可動台３ａ及び可動支持体３ｂは、空気清浄ユニット１の上部に設けられている。加湿ユニット２は、可動台３ａに接続される。加湿空気Ｗ４が供給される高さは、加湿ユニット２、可動台３ａ及び可動支持体３ｂの移動によって変更される。
【０１０３】
空気清浄ユニット１によって空気が清浄される効率は、フィルター７が大きくなるほど高くなる。フィルター７が大きくなると、空気清浄ユニット１は重くなる。上記実施例であれば、例えば空気清浄ユニット１が重い場合でも、加湿空気Ｗ４が供給される高さを、加湿空気清浄機１００の全体を上下方向に移動させる場合に比べて容易に変更することができる。
【０１０４】
また加湿空気清浄機１００の重心は、例えば図４及び図５に示すように加湿ユニット２、可動台３ａ及び可動支持体３ｂを上方向へ移動した場合、加湿空気清浄機１００の全体を上方向に移動させる場合よりも低くなる。これにより、加湿空気清浄機１００が安定する。
【０１０５】
上記実施例の加湿清浄運転において清浄空気Ｗ２は、必要な量だけ第２筐体５の内部へ取り込まれる。清浄空気吹出口４ｂからは、フィルター７を通過した清浄空気Ｗ２の一部が加湿ユニット２を経由せずに吹き出される。清浄空気吹出口４ｂから吹き出される清浄空気Ｗ２の風量は大きい。これにより、使用者は吹かれ感を感じることなく加湿空気Ｗ４を受けることができ、かつ加湿空気清浄機１００の周囲の空気が効率的に清浄される。
【０１０６】
また可動ダクト１０には、一例として吹出口１０ｂが形成される。清浄空気Ｗ２は、清浄空気吹出口４ｂと吹出口１０ｂとの両方から吹き出される。上記実施例であれば、加湿空気清浄機１００の周囲の空気がより効率的に清浄される。
【０１０７】
なお加湿空気清浄機１００は、加湿清浄運転の他に、例えば加湿運転及び空気清浄運転を行ってもよい。加湿運転とは、加湿対象に加湿空気Ｗ４を送る運転である。空気清浄運転とは、清浄空気Ｗ２を吹き出す運転である。図６は、実施の形態１の加湿空気清浄機１００の加湿運転時の縦断面図である。また図７は、実施の形態１の加湿空気清浄機１００の空気清浄運転時の縦断面図である。
【０１０８】
第１制御装置１５には、例えば加湿運転モード及び空気清浄運転モードが記憶されていてもよい。第１制御装置１５は、例えば第１操作部１４ａによって加湿運転モードが選択されると、図６に示すように風量調整弁１１に第１送風路９ａを閉じさせる。第１制御装置１５は、第１送風路９ａが閉じられた状態で、第１送風ファン６を駆動させる。
【０１０９】
また第１制御装置１５は、加湿運転モードが選択されると、例えば加湿運転制御信号を、第２制御装置３７へ送信する。第２制御装置３７は、加湿運転制御信号を受信すると、第２送風ファン３４及びヒータ２６を駆動させる。第１送風路９ａが閉じられた状態で第１送風ファン６、第２送風ファン３４及びヒータ２６が駆動することによって、図６に示す加湿運転が実行される。
【０１１０】
なお加湿運転の際に第２送風ファン３４は、例えば図７に示すように、可動ダクト１０によって導かれる清浄空気Ｗ２の全量が加湿ユニット吸気口５ａから取り込まれるように駆動してもよい。また加湿運転の際に第２送風ファン３４は、加湿清浄運転と同様に、可動ダクト１０によって導かれる清浄空気Ｗ２の一部が加湿ユニット吸気口５ａから取り込まれるように駆動してもよい。
【０１１１】
また第１制御装置１５は、例えば第１操作部１４ａによって空気清浄運転モードが選択されると、図７に示すように風量調整弁１１に第２送風路１０ａを閉じさせる。第１制御装置１５は、第２送風路１０ａが閉じられた状態で、第１送風ファン６を駆動させる。これにより、図６に示す空気清浄運転が実行される。加湿空気清浄機１００は、空気清浄運転によって、集中的に空気を清浄することができる。
【０１１２】
加湿空気清浄機１００は、例えば加湿清浄運転または加湿運転を行っている際に空気清浄度センサ１２によって検出された空気の清浄度が一定以下になると、空気清浄運転を自動的に開始してもよい。また空気清浄運転を行っている際に空気清浄度センサ１２によって検出された空気の清浄度が一定値を超えると、加湿清浄運転または加湿運転を自動的に開始してもよい。
【０１１３】
このように、加湿空気清浄機１００は、周囲の環境によって、運転状態を自動的に切替える装置であってもよい。また加湿空気清浄機１００は、例えば第１操作部１４ａによって設定された一定時間だけ空気清浄運転を行った後に、加湿運転または加湿清浄運転を行ってもよい。本例の加湿空気清浄機１００は、例えば使用者の就寝前に室内の空気を集中的に清浄した後に、加湿された清浄な空気を就寝中の使用者に供給することができる。
【０１１４】
上記実施例の加湿空気清浄機１００は、第１送風ファン６及び第２送風ファン３４を備える。第１送風ファン６及び第２送風ファン３４は、それぞれ独立に駆動することができる。これにより加湿空気清浄機１００は、加湿対象へ送られる加湿空気Ｗ４及び室内へ吹き出される清浄空気Ｗ２の送風量をより容易に調整することができる。
【０１１５】
また上記実施例の加湿ユニット２は、可動台３ａに着脱自在に接続可能に形成される。使用者は、加湿ユニット２を空気清浄ユニット１、可動台３ａ及び可動支持体３ｂから分離させることができる。図８は、実施の形態１の加湿ユニット２が分離されたときにおける加湿空気清浄機の縦断面図である。
【０１１６】
一例として第２筐体５の底面には、鉄板が設けられる。また可動台３ａには、一例として磁石が設けられる。また加湿ユニット２の第２筐体５と可動台３ａとは、一例として磁力によって接続される。これにより、第１接続端子１７ａと第２接続端子１７ｂとが密着する。使用者は、例えば第２筐体５を前方に引きながら持ち上げることにより、加湿ユニット２を空気清浄ユニット１から分離することができる。
【０１１７】
上記実施例の加湿空気清浄機１００の使用者は、加湿ユニット２を、空気清浄ユニット１から分離された状態で使用することができる。使用者は、加湿ユニット２と空気清浄ユニット１とを、それぞれ独立して別な場所で使用することができる。例えば使用者は、空気清浄ユニット１よりも低い位置で加湿ユニット２を使用することができる。また加湿ユニット２は、例えば空気清浄ユニット１から分離された状態で、空気を清浄するフィルターが取り付け可能に形成されてもよい。
【０１１８】
また加湿空気清浄機１００は、例えば加湿ユニット２が可動台３ａに着脱されたことを検出するセンサを備えていてもよい。加湿ユニット２が可動台３ａに着脱されたことを検出するセンサは、例えば第１制御装置１５の入力側に接続される。第１制御装置１５は、例えば加湿ユニット２が可動台３ａに接続された状態と加湿ユニット２が可動台３ａから外された状態とで、それぞれ異なる表示を第１表示部１４ｂにさせてもよい。
【０１１９】
加湿空気清浄機１００は、例えば図８に示すように、空気清浄ユニット１から分離された加湿ユニット２の第２接続端子１７ｂに着脱自在に接続される電源コード３８を備えてもよい。空気清浄ユニット１から分離された加湿ユニット２には、一例として、電源コード３８によって電力が供給されてもよい。本例であれば、空気清浄ユニット１から分離された加湿ユニット２に電力を供給するための構造を別途形成する必要がない。
【０１２０】
上記実施例において、加湿ユニット２が可動台３ａに接続されているとき、第１制御装置１５は第１ケーブル１８ａを介して第１接続端子１７ａへ電力を供給する。また第１接続端子１７ａは、電気的に接続された第２接続端子１７ｂへ電力を供給する。
【０１２１】
加湿ユニット２の第２送風ファン３４には、例えば図示しない電線等によって、第１接続端子１７ａに接続された第２接続端子１７ｂから電力が供給されてもよい。本例であれば、加湿ユニット２に電力を供給するための構造を別途形成することなく、加湿ユニット２に備えられた各機器へ電力が供給される。例えば外部の電源から空気清浄ユニット１へ電力を供給することによって、空気清浄ユニット１と加湿ユニット２との両方が動作可能となる。
【０１２２】
上記実施例において使用者は、例えば第２操作部３６ａによって加湿ユニット２の動作の設定を変更することができる。また加湿ユニット２が可動台３ａに接続されているとき、第１制御装置１５は、第１操作部１４ａからの信号に基づいて、第２制御装置３７へ信号を送信する。使用者は、第１操作部１４ａによって、第１制御装置１５及び第２制御装置３７を介して空気清浄ユニット１と加湿ユニット２との両方を操作することができる。
【０１２３】
上記実施例であれば使用者は、例えば第１操作部１４ａを操作することによって、第１送風ファン６及び第２送風ファン３４の両方を制御することができる。使用者は、加湿空気清浄機１００全体を容易に操作することができる。また加湿空気清浄機１００は、例えば第１操作部１４ａによって空気清浄ユニット１と加湿ユニット２との両方の動作の設定を行えるように構成されてもよい。
【０１２４】
図９は、実施の形態１の加湿空気清浄機１００の変形例の加湿清浄運転時の縦断面図である。加湿ユニット２は、例えば図９に示すように、空気清浄ユニット１に設けられた可動台３ａに固定されていてもよい。また加湿空気清浄機１００は、第１接続端子１７ａ及び第２接続端子１７ｂを有していなくてもよい。加湿ユニット２は、第２操作表示部３５及び第２制御装置３７を有していなくてもよい。例えばヒータ２６は、第１制御装置１５によって制御されてもよい。
【０１２５】
また可動ダクト１０には、吹出口１０ｂが形成されていなくてもよい。また加湿ユニット２は第２送風ファン３４を備えていなくてもよい。
【０１２６】
本変形例の加湿清浄運転時に第１制御装置１５は、例えば図９に示すように、第１送風路９ａ及び第２送風路１０ａへ向かう気流を第１送風ファン６に発生させる。第１制御装置１５は、一例として、第２送風路１０ａを流れる清浄空気Ｗ２の風量が０．２［ｍ＾３／ｍｉｎ］以下となるように、風量調整弁１１を動作させる。第１制御装置１５は、通電によってヒータ２６を駆動させる。これにより、上記実施例と同様に、吹かれ感のない清浄な加湿空気Ｗ４が使用者へ供給される。
【０１２７】
また図１０は、実施の形態１の加湿空気清浄機１００の変形例の加湿運転時の縦断面図である。本変形例において第１制御装置１５は、風量調整弁１１に第１送風路９ａを閉鎖させつつ、第１送風ファン６及びヒータ２６を駆動させてもよい。これにより、図１０に示す加湿運転が実行される。図１０に示す加湿運転において第１制御装置１５は、例えば吸気風路８ａ及び第２送風路１０ａを流れる清浄空気Ｗ２の風量が０．２［ｍ＾３／ｍｉｎ］以下となるように第１送風ファン６を制御する。これにより、上記実施例と同様に、吹かれ感のない清浄な加湿空気Ｗ４が使用者へ供給される。
【０１２８】
なお清浄部の一例であるフィルター７は、上記実施例及び変形例以外にも、例えば第１送風路９ａに設けられてもよい。フィルター７によって清浄された空気は、例えば全て清浄空気吹出口４ｂから吹き出されてもよい。例えばフィルター７が第１送風路９ａに設けられた場合においても、加湿空気清浄機１００は、空気の加湿及び清浄を行うことができ、かつ加湿された空気を所望の高さの位置の対象に供給することができる。
【０１２９】
図１１は、加湿空気清浄機１００の制御手段の構成例を示す図である。上記実施例の加湿空気清浄機１００は、制御手段の一例として、第１制御装置１５及び第２制御装置３７を備える。第１制御装置１５及び第２制御装置３７は、例えば印刷配線基板を有する。この印刷配線基板上には、一例として、記憶回路、記憶回路に記憶された各種の制御プログラムを実行する演算処理部、演算処理部に対して信号を入出力する入出力回路及び時間を計測するタイマー回路が設けられる。記憶回路、演算処理部、入出力回路及びタイマー回路を、まとめて処理回路とする。
【０１３０】
制御手段の一例である第１制御装置１５及び第２制御装置３７の各機能は、この処理回路により実現される。処理回路は、専用ハードウェア６０であってもよい。処理回路は、プロセッサ６１及びメモリ６２を備えていてもよい。処理回路は、一部が専用ハードウェア６０として形成され、更にプロセッサ６１及びメモリ６２を備えていてもよい。図１１は、処理回路が、その一部が専用ハードウェア６０として形成され、プロセッサ６１及びメモリ６２を備えている場合の例を示している。
【０１３１】
処理回路の一部が、少なくとも１つの専用ハードウェア６０である場合、処理回路には、例えば、単一回路、複合回路、プログラム化したプロセッサ、並列プログラム化したプロセッサ、ＡＳＩＣ、ＦＰＧＡ、又はこれらを組み合わせたものが該当する。
【０１３２】
処理回路が少なくとも１つのプロセッサ６１及び少なくとも１つのメモリ６２を備える場合、第１制御装置１５及び第２制御装置３７の各機能は、ソフトウェア、ファームウェア、又はソフトウェアとファームウェアとの組み合わせにより実現される。ソフトウェア及びファームウェアはプログラムとして記述され、メモリ６２に格納される。プロセッサ６１は、メモリ６２に記憶されたプログラムを読み出して実行することにより、各部の機能を実現する。プロセッサ６１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ６２には、例えば、ＲＡＭ、ＲＯＭ、フラッシュメモリー、ＥＰＲＯＭ及びＥＥＰＲＯＭ等の不揮発性又は揮発性の半導体メモリ、又は磁気ディスク、フレキシブルディスク、光ディスク、コンパクトディスク、ミニディスク及びＤＶＤ等が該当する。
【０１３３】
このように、制御手段の一例である第１制御装置１５及び第２制御装置３７の各機能は、処理回路によって実現される。処理回路は、ハードウェア、ソフトウェア、ファームウェア、又はこれらの組み合わせによって、第１制御装置１５及び第２制御装置３７の各機能を実現することができる。
【符号の説明】
【０１３４】
１  空気清浄ユニット、  ２  加湿ユニット、  ３ａ  可動台、  ３ｂ  可動支持体、  ４  第１筐体、  ４ａ  空気清浄ユニット吸気口、  ４ｂ  清浄空気吹出口、  ５  第２筐体、  ５ａ  加湿ユニット吸気口、  ５ｂ  高湿空気吹出口、  ６  第１送風ファン、  ６ａ  第１モータ、  ６ｂ  第１翼部、  ７  フィルター、  ８  吸気ダクト、  ８ａ  吸気風路、  ９  清浄空気ダクト、  ９ａ  第１送風路、  １０  可動ダクト、  １０ａ  第２送風路、  １０ｂ  吹出口、  １１  風量調整弁、  １１ａ  回動軸、  １２  空気清浄度センサ、  １３  第１操作表示部、  １４ａ  第１操作部、  １４ｂ  第１表示部、  １５  第１制御装置、  １６  キャスター、  １７ａ  第１接続端子、  １７ｂ  第２接続端子、  １８ａ  第１ケーブル、  １８ｂ  第２ケーブル、  １９  給水タンク、  ２０  貯水部、  ２１  タンク受け部、  ２２  取付部、  ２３  給水弁、  ２４  蒸気生成部、  ２５  蒸発皿、  ２６  ヒータ、  ２７  蒸気カバー、  ２８  ホース、  ２９  高温高湿空気ダクト、  ３０  ガードリブ、  ３１  送風ダクト、  ３１ａ  気流取込口、  ３１ｂ  搬送空気吹出口、  ３１ｃ  風向調整部、３２  蒸気混合空間、  ３３  ガイド風路、  ３４  第２送風ファン、  ３４ａ  第２モータ、  ３４ｂ  第２翼部、  ３５  第２操作表示部、  ３６ａ  第２操作部、  ３６ｂ  第２表示部、  ３７  第２制御装置、  ３８  電源コード、  ６０  専用ハードウェア、  ６１  プロセッサ、  ６２  メモリ、  １００  加湿空気清浄機
【図１】
0006607112.tif 000002
【図２】
0006607112.tif 000003
【図３】
0006607112.tif 000004
【図４】
0006607112.tif 000005
【図５】
0006607112.tif 000006
【図６】
0006607112.tif 000007
【図７】
0006607112.tif 000008
【図８】
0006607112.tif 000009
【図９】
0006607112.tif 000010
【図１０】
0006607112.tif 000011
【図１１】
0006607112.tif 000012